(57)【要約】【課題】高精度な位置合わせを実現して接触不良を防止できるようにする。【解決手段】ＦＰＣコネクタ４０は、部材４５がＦＰＣ３０側の端部３５と噛合する際に端部３５とは異なる位置でＦＰＣ３０側の複数の配線３６にそれぞれ接点を通じて電気的に接続する複数の端子４６を備えている。ＦＰＣ３０は、端部３５がＦＰＣコネクタ４０側の部材４５と噛合する際に端部３５とは異なる位置でＦＰＣコネクタ４０側の複数の端子４６にそれぞれ接点を通じて電気的に接続される複数の配線３６を備えている。ＦＰＣコネクタ４０側の部材４５は複数の半円形の凸部４５ａを有しており、ＦＰＣ３０側の端部３５は複数の半円形の凹部３５ａを有している。これら複数の半円形の凸部４５ａと複数の半円形の凹部３５ａとは互いに噛合して複数の配線３６と複数の端子４６との位置合わせに供する。【選択図】図４
2006319050.tif 000002
【特許請求の範囲】
【請求項１】
複数の端子を備えたコネクタに装着可能な配線板であって、
前記配線板が前記コネクタに装着される際に当該コネクタ側の部材と噛合する端部と、
前記端部が前記コネクタ側の部材と噛合する際に前記端部とは異なる位置で前記コネクタ側の複数の端子にそれぞれ接点を通じて電気的に接続される複数の配線とを具備し、
前記端部は、複数の半円形の凹部を有し、当該複数の半円形の凹部は前記コネクタ側の部材と噛合して前記複数の端子と前記複数の配線との位置合わせに供することを特徴とする配線板。
【請求項２】
前記複数の半円形の凹部は、基板に対する複数のドリル加工を経て形成されたものであることを特徴とする請求項１記載の配線板。
【請求項３】
前記複数の配線の配置位置は、前記複数の半円形の凹部の配置位置を基準にして決定されていることを特徴とする請求項１又は２記載の配線板。
【請求項４】
前記配線板は、フレキシブルプリント配線板であることを特徴とする請求項１乃至３のいずれかに記載の配線板。
【請求項５】
前記配線板は、リジッドプリント配線板であることを特徴とする請求項１乃至３のいずれかに記載の配線板。
【請求項６】
複数の配線を備えた配線板を装着可能なコネクタであって、
前記コネクタに前記配線板が装着される際に当該配線板の端部と噛合する部材と、
前記部材が前記配線板側の端部と噛合する際に前記端部とは異なる位置で前記配線板側の前記複数の配線にそれぞれ接点を通じて電気的に接続する複数の端子とを具備し、
前記部材は、複数の半円形の凸部を有し、当該複数の半円形の凸部は前記配線板側の端部と噛合して前記複数の配線と前記複数の端子との位置合わせに供することを特徴とするコネクタ。
【請求項７】
前記複数の半円形の凸部は、前記部材のモールド形成により実現されたものであることを特徴とする請求項６記載のコネクタ。
【請求項８】
前記複数の端子の配置位置は、前記複数の半円形の凸部の配置位置を基準にして決定されていることを特徴とする請求項６又は７記載のコネクタ。
【請求項９】
複数の端子を備えたコネクタと前記コネクタに装着可能であり複数の配線を備えた配線板とを具備する電子機器であって、
前記コネクタは、
前記コネクタに前記配線板が装着される際に当該配線板の端部と噛合する部材と、
前記部材が前記配線板側の端部と噛合する際に前記端部とは異なる位置で前記配線板側の前記複数の配線にそれぞれ接点を通じて電気的に接続する複数の端子とを具備し、
前記配線板は、
前記配線板が前記コネクタに装着される際に当該コネクタ側の部材と噛合する端部と、
前記端部が前記コネクタ側の部材と噛合する際に前記端部とは異なる位置で前記コネクタ側の複数の端子にそれぞれ接点を通じて電気的に接続される複数の配線とを具備し、
前記コネクタ側の前記部材は複数の半円形の凸部を有し、前記配線板側の前記端部は複数の半円形の凹部を有し、当該複数の半円形の凸部と複数の半円形の凹部とは互いに噛合して前記複数の配線と前記複数の端子との位置合わせに供することを特徴とする電子機器。
【請求項１０】
前記複数の半円形の凹部は、基板に対する複数のドリル加工を経て形成されたものであることを特徴とする請求項９記載の電子機器。
【請求項１１】
前記複数の配線の配置位置は、前記複数の半円形の凹部の配置位置を基準にして決定されていることを特徴とする請求項９又は１０記載の電子機器。
【請求項１２】
前記複数の半円形の凸部は、前記部材のモールド形成により実現されたものであることを特徴とする請求項９記載の電子機器。
【請求項１３】
前記複数の端子の配置位置は、前記複数の半円形の凸部の配置位置を基準にして決定されていることを特徴とする請求項９又は１２に記載の電子機器。
【発明の詳細な説明】
【技術分野】
【０００１】
本発明は、例えばフレキシブルプリント配線板やリジッドプリント配線板などの配線板、この配線板を装着可能なコネクタ、及びこれら配線板とコネクタとを備えた電子機器に関する。
【背景技術】
【０００２】
電子機器の小型・高密度化に伴い、その電子機器の中で使用される電子部品（ユニット）も小型化され、またそのような電子部品どうしを接続するためのフレキシブルプリント配線板（ＦＰＣ）やＦＰＣが装着されるコネクタ（ＦＰＣコネクタ）などにおいても、小型化・狭ピッチ化・高密度化・高精度化が要求されている。
【０００３】
例えば、ＦＰＣをＦＰＣコネクタに適切に装着できるようにするためには、相互間の位置合わせのための外形加工が行われる。この外形加工は、ＦＰＣの両端部（ＦＰＣがＦＰＣコネクタにおける差込口に差し込まれる際に接触する両側部分）に対して施されることが多い。この場合、端子部分において接触不良などが生じないよう、高精度に外形加工を行うことが要求される。
【０００４】
なお、特許文献１には、２つの基板が接触する部分に山型の凹凸形状を形成し、その接触部分を通じて２つの基板の配線パターンを接続する構成が開示されている。
【特許文献１】特開２００３−３１７８３０号公報（図８等）
【発明の開示】
【発明が解決しようとする課題】
【０００５】
一般に、ＦＰＣの両端部の外形加工は、ＦＰＣ上の配線が形成された後に行われ、誤差が生じやすい。わずかな誤差であっても、狭ピッチ化・高密度化されたＦＰＣ配線パターンにおいては、その接点位置がコネクタ側の端子の位置に対して大きくずれてしまい、電気的な接触不良が起こることがある。こうした問題は、ＦＰＣに限らず、リジッドプリント配線板についても言える。
【０００６】
一方、特許文献１のように２つの基板が接触する部分に山型の凹凸形状を形成し、その接触部分を通じて２つの基板の配線パターンを接続する構成では、塵や接着剤などの影響により電気的な接触不良が起こりやすい。また、隙間が生じた場合にも接触不良が起こりやすい。
【０００７】
本発明は上記実情に鑑みてなされたものであり、高精度な位置合わせを実現して接触不良を防止する配線板、コネクタ、および電子機器を提供することを目的とする。
【課題を解決するための手段】
【０００８】
本発明に係る配線板は、複数の端子を備えたコネクタに装着可能な配線板であって、前記配線板が前記コネクタに装着される際に当該コネクタ側の部材と噛合する端部と、前記端部が前記コネクタ側の部材と噛合する際に前記端部とは異なる位置で前記コネクタ側の複数の端子にそれぞれ接点を通じて電気的に接続される複数の配線とを具備し、前記端部は、複数の半円形の凹部を有し、当該複数の半円形の凹部は前記コネクタ側の部材と噛合して前記複数の端子と前記複数の配線との位置合わせに供することを特徴とする。
【０００９】
本発明に係るコネクタは、複数の配線を備えた配線板を装着可能なコネクタであって、前記コネクタに前記配線板が装着される際に当該配線板の端部と噛合する部材と、前記部材が前記配線板側の端部と噛合する際に前記端部とは異なる位置で前記配線板側の前記複数の配線にそれぞれ接点を通じて電気的に接続する複数の端子とを具備し、前記部材は、複数の半円形の凸部を有し、当該複数の半円形の凸部は前記配線板側の端部と噛合して前記複数の配線と前記複数の端子との位置合わせに供することを特徴とする。
【００１０】
本発明に係る電子機器は、複数の端子を備えたコネクタと前記コネクタに装着可能であり複数の配線を備えた配線板とを具備する電子機器であって、前記コネクタは、前記コネクタに前記配線板が装着される際に当該配線板の端部と噛合する部材と、前記部材が前記配線板側の端部と噛合する際に前記端部とは異なる位置で前記配線板側の前記複数の配線にそれぞれ接点を通じて電気的に接続する複数の端子とを具備し、前記配線板は、前記配線板が前記コネクタに装着される際に当該コネクタ側の部材と噛合する端部と、前記端部が前記コネクタ側の部材と噛合する際に前記端部とは異なる位置で前記コネクタ側の複数の端子にそれぞれ接点を通じて電気的に接続される複数の配線とを具備し、前記コネクタ側の前記部材は複数の半円形の凸部を有し、前記配線板側の前記端部は複数の半円形の凹部を有し、当該複数の半円形の凸部と複数の半円形の凹部とは互いに噛合して前記複数の配線と前記複数の端子との位置合わせに供することを特徴とする。
【発明の効果】
【００１１】
本発明によれば、高精度な位置合わせを実現して接触不良を防止することができる。
【発明を実施するための最良の形態】
【００１２】
以下、図面を参照して、本発明の実施形態を説明する。  
まず、図１および図２を参照して、本発明の一実施形態に係る電子機器の構成について説明する。この電子機器は、例えば、ノートブック型パーソナルコンピュータ１０として実現されている。
【００１３】
図１はノートブック型パーソナルコンピュータ１０のディスプレイユニットを開いた状態における正面図である。本コンピュータ１０は、コンピュータ本体１１と、ディスプレイユニット１２とから構成されている。ディスプレイユニット１２にはＬＣＤ（Liquid Crystal Display）１７から構成される表示装置が組み込まれており、そのＬＣＤ１７の表示画面はディスプレイユニット１２のほぼ中央に位置されている。
【００１４】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１を電源オン／オフするためのパワーボタン１４、入力操作パネル１５、およびタッチパッド１６などが配置されている。
【００１５】
入力操作パネル１５は、押されたボタンに対応するイベントを入力する入力装置であり、複数の機能をそれぞれ起動するための複数のボタンを備えている。これらボタン群には、ＴＶ起動ボタン１５Ａ、ＤＶＤ（Digital Versatile Disc）起動ボタン１５Ｂも含まれている。ＴＶ起動ボタン１５Ａは、デジタルＴＶ放送番組のような放送番組データの再生及び記録を行うためのＴＶ機能を起動するためのボタンである。ＴＶ起動ボタン１５Ａがユーザによって押下された時、ＴＶ機能を実行するためのアプリケーションプログラムが自動的に起動される。ＤＶＤ起動ボタン１５Ｂは、ＤＶＤに記録されたビデオコンテンツを再生するためのボタンである。ＤＶＤ起動ボタン１５Ｂがユーザによって押下された時、ビデオコンテンツを再生するためのアプリケーションプログラムが自動的に起動される。
【００１６】
次に、図２を参照して、本コンピュータ１０のシステム構成について説明する。
【００１７】
本コンピュータ１０は、図２に示されているように、ＣＰＵ１１１、ノースブリッジ１１２、主メモリ（メモリモジュール）１１３、グラフィクスコントローラ（モジュール）１１４、サウスブリッジ１１９、ＢＩＯＳ−ＲＯＭ１２０、ハードディスクドライブ（ＨＤＤ）１２１、光ディスクドライブ（ＯＤＤ）１２２、デジタルＴＶ放送チューナ（モジュール）１２３、エンベデッドコントローラ／キーボードコントローラＩＣ（ＥＣ／ＫＢＣ）１２４、およびネットワークコントローラ１２５等を備えている。
【００１８】
ＣＰＵ１１１は本コンピュータ１０の動作を制御するために設けられたプロセッサであり、ハードディスクドライブ（ＨＤＤ）１２１から主メモリ１１３にロードされる、オペレーティングシステム（ＯＳ）、およびビデオ再生アプリケーションプログラムのような各種アプリケーションプログラムを実行する。
【００１９】
また、ＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００２０】
ノースブリッジ１１２はＣＰＵ１１１のローカルバスとサウスブリッジ１１９との間を接続するブリッジデバイスである。ノースブリッジ１１２には、主メモリ１１３をアクセス制御するメモリコントローラも内蔵されている。また、ノースブリッジ１１２は、ＡＧＰ（Accelerated Graphics Port）バスなどを介してグラフィクスコントローラ１１４との通信を実行する機能も有している。
【００２１】
グラフィクスコントローラ１１４は本コンピュータ１０のディスプレイモニタとして使用されるＬＣＤ１７を制御する表示コントローラである。このグラフィクスコントローラ１１４はビデオメモリ（ＶＲＡＭ）１１４Ａに書き込まれた画像データからＬＣＤ１７に送出すべき表示信号を生成する。
【００２２】
サウスブリッジ１１９は、ＬＰＣ（Low Pin Count）バス上の各デバイス、およびＰＣＩ（Peripheral Component Interconnect）バス上の各デバイスを制御する。また、サウスブリッジ１１９は、ＨＤＤ１２１、ＯＤＤ１２２を制御するためのＩＤＥ（Integrated Drive Electronics）コントローラを内蔵している。さらに、サウスブリッジ１１９は、デジタルＴＶ放送チューナ１２３を制御する機能、およびＢＩＯＳ−ＲＯＭ１２０をアクセス制御するための機能も有している。
【００２３】
ＨＤＤ１２１は、各種ソフトウェア及びデータを格納する記憶装置である。光ディスクドライブ（ＯＤＤ）１２２は、ビデオコンテンツが格納されたＤＶＤなどの記憶メディアを駆動するためのドライブユニットである。デジタルＴＶ放送チューナ１２３は、デジタルＴＶ放送番組のような放送番組データを外部から受信するための受信装置である。
【００２４】
エンベデッドコントローラ／キーボードコントローラＩＣ（ＥＣ／ＫＢＣ）１２４は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１２４は、ユーザによるパワーボタン１４の操作に応じて本コンピュータ１０をパワーオン／パワーオフする機能を有している。さらに、エンベデッドコントローラ／キーボードコントローラＩＣ（ＥＣ／ＫＢＣ）１２４は、ユーザによるＴＶ起動ボタン１５Ａ、ＤＶＤ起動ボタン１５Ｂの操作に応じて、本コンピュータ１０をパワーオンすることもできる。ネットワークコントローラ１２５は、例えばインターネットなどの外部ネットワークとの通信を実行する通信装置である。
【００２５】
図３は、本コンピュータ１０の内部で使用される各種のプリント配線板に係る構成要素を説明するための展開図である。
【００２６】
本コンピュータ１０の内部には、主基板（main PCB）２１が設けられる。この主基板２１上には、ユニット間のインタフェースを行うフレキシブルプリント配線板（ＦＰＣ）３０Ａ，３０Ｂを装着するためのＦＰＣコネクタ４０Ａ，４０Ｂや、リジッドプリント配線板付きの各種モジュールを装着するためのコネクタ（もしくはソケット）４１Ａ，４１Ｂ，４１Ｃが取り付けられている。
【００２７】
また、上記主基板２１のほかに、副基板（sub PCB）２２や、小基板（mini-PCB）モジュール２３も設けられている。副基板２２上には、上記ＦＰＣ３０Ｂを装着するためのＦＰＣコネクタ４０Ｃが取り付けられている。
【００２８】
なお、図３の例では、各コネクタがライトアングルタイプ（即ち、コネクタが主基板２１に実装される方向に対してプリント配線板が挿入される方向が直角となる横実装タイプ）である場合が例示されているが、これに限らず、例えばストレートタイプ（即ち、コネクタが主基板２１に実装される方向と同じ方向にプリント配線板が挿入される縦実装タイプ）としてもよい。
【００２９】
上記ＦＰＣ３０Ａ，３０Ｂは、例えば銅箔の精密エッチングで形成された回路を絶縁特性や耐熱性に優れるポリイミドフィルムなどでサンドイッチした構造の屈曲性のある配線基板である。各ＦＰＣは、両端部がそれぞれ対応するＦＰＣコネクタの例えばスリット状の差込口に差し込まれることで電気的接続が実現される。
【００３０】
ＦＰＣ３０Ａは、一端が主基板２１側のＦＰＣコネクタ４０Ａに接続され、もう一端が副基板２２側のＦＰＣコネクタ４０Ｃに接続され、主基板２１と副基板２２とのインタフェースを行う。一方、ＦＰＣ３０Ｂは、一端が主基板２１側のＦＰＣコネクタ４０Ｂに接続され、もう一端が光ディスクドライブ（ＯＤＤ）１２２側のＦＰＣコネクタ４０Ｄに接続され、主基板２１とＯＤＤ１２２とのインタフェースを行う。ＦＰＣコネクタ４０Ｄは、コネクタ４２を介して、ＯＤＤ１２２に接続されている。なお、前述のハードディスクドライブ（ＨＤＤ）１２１についても、ＯＤＤ１２２と同様な接続形態を採用してもよい。
【００３１】
上記コネクタ４１Ａ，４１Ｂ，４１Ｃには、それぞれ、メモリモジュール１１３，デジタルＴＶ放送チューナモジュール１２３，小基板モジュール２３が装着される。各モジュールにはリジッドプリント配線板が備えられている。リジッドプリント配線板は、硬質な配線基板であり、ＦＰＣほどの屈曲性はない。このリジッドプリント配線板の端部が対応するコネクタの例えばスリット状の差込口に差し込まれることで電気的接続が実現される。なお、前述のグラフィクスコントローラモジュール１１４についても、上記モジュール１１３，１２３，２３と同様な接続形態を採用してもよい。
【００３２】
図４および図５は、それぞれ、図３中に示されるＦＰＣとＦＰＣコネクタとの接続部分の構造の例を示す図である。即ち、図３中に示されるＦＰＣ３０ＡとＦＰＣコネクタ４０Ａとの接続部分、ＦＰＣ３０ＡとＦＰＣコネクタ４０Ｃとの接続部分、ＦＰＣ３０ＢとＦＰＣコネクタ４０Ｂとの接続部分、および、ＦＰＣ３０ＢとＦＰＣコネクタ４０Ｄとの接続部分には、図４もしくは図５に示される構造が適用される。図４は、ＦＰＣコネクタの端子配列がストレート形式である場合の例を示しており、図５は、ＦＰＣコネクタの端子配列が千鳥形式である場合の例を示している。
【００３３】
また、図６は、図４中に示されるＦＰＣ３０を別の角度から見た図であり、図７は、図４中に示されるＦＰＣコネクタ４０を別の角度から見た図である。図６においては、図４中のＦＰＣ３０の裏側の面（配線３６が配設されている面）が上になった状態が示されている。また、図７においては、板状部材４７の上方には何の部材も存在しないかのように見えるが、実際には、ＦＰＣコネクタ４０に装着された状態のＦＰＣ３０を板状部材４７と共に挟む別の板状部材が設けられる。これにより、ＦＰＣ３０を差し込むためのスリット状の差込口、および、差し込まれたＦＰＣ３０を包み込むようなハウジング構造が構成されている。
【００３４】
ここで、図４を参照して、ＦＰＣとＦＰＣコネクタとの接続部分の具体的な構造について説明する。  
図４中のＦＰＣ３０は、図３中のＦＰＣ３０Ａ，３０Ｂに相当する。また、図４中のＦＰＣコネクタ４０は、図３中のＦＰＣコネクタ４０Ａ，４０Ｂ，４０Ｃに相当する。
【００３５】
ＦＰＣコネクタ４０は、例えば、ライトアングルタイプであり、ＦＰＣ３０との電気的接続に関して下接点と呼ばれる接点形式が採用されている。また、ＦＰＣ３０としては、この接点形式に対応した種類のものが採用されている。
【００３６】
ＦＰＣコネクタ４０は、ＦＰＣ３０が装着される際に当該ＦＰＣ３０の端部３５と噛合する部材４５を備えている。また、このＦＰＣコネクタ４０は、部材４５がＦＰＣ３０側の端部３５と噛合する際に端部３５とは異なる位置でＦＰＣ３０側の複数の配線３６にそれぞれ接点を通じて電気的に接続する複数の端子（金属性の板ばね等）４６を備えている。
【００３７】
一方、ＦＰＣ３０は、ＦＰＣコネクタ４０に装着される際に当該ＦＰＣコネクタ４０側の部材４５と噛合する端部３５を備えている。また、このＦＰＣ３０は、端部３５がＦＰＣコネクタ４０側の部材４５と噛合する際に端部３５とは異なる位置でＦＰＣコネクタ４０側の複数の端子４６にそれぞれ接点を通じて電気的に接続される複数の配線３６を備えている。なお、配線３６は、紙面に向かってＦＰＣ３０本体の下側の表面上に例えば銅箔のパターンとして配設されているものとする。
【００３８】
特に、本実施形態では、ＦＰＣコネクタ４０側の部材４５は複数の半円形の凸部４５ａを有しており、ＦＰＣ３０側の端部３５は複数の半円形の凹部３５ａを有している。これら複数の半円形の凸部４５ａと複数の半円形の凹部３５ａとは互いに噛合して複数の配線３６と複数の端子４６との位置合わせに供する。
【００３９】
上記複数の半円形の凹部３５ａは、基板に対する複数のドリル加工（穴空け加工）、および、ドリル加工して形成された複数の円状の開口部を半円状に加工する処理（例えば複数の円状の開口部の中央から基板端部までの部分を除去する処理）を経て形成されたものである。ドリル加工という既存の手法を用いることにより、コストをかけることなく、位置決め精度の高い凹部を簡単に形成することができる。また、このドリル加工を、複数の配線３６を形成する前に行うことにより、位置ずれの問題を防止することができる。すなわち、ドリル加工により複数の円形の開口部を形成した後に複数の配線３６が形成される。この場合、複数の配線３６の配置位置は、複数の円形の開口部の配置位置を基準にして決定される。
【００４０】
一方、複数の半円形の凸部４５ａは、例えば、部材４５のモールド形成により実現されている。このモールド形成により、複数の半円形の凹部３５ａに対して正しく噛合する凸部４５ａを容易に形成することができる。凸部４５ａを有する部材４５が完成した後には、複数の端子４６が形成される。この場合、複数の端子４６の配置位置は、複数の半円形の凸部４５ａの配置位置を基準にして決定される。
【００４１】
なお、形成する凹部３５ａや凸部４５ａの数を、対応する配線３６や端子４６と同数とすることにより、端子毎に位置合わせを行うことができ、位置合わせをより確実なものとすることができるが、これに限られるものではなく、凹部３５ａや凸部４５ａの数を例えば半数にしてもよく、また、２つだけにしてもよい。その場合でも確実な位置合わせを実現できる。
【００４２】
図４と図５との違いは、図４の例では複数の端子４６の配列がストレート形式であるのに対し、図５の例では複数の端子４６’の配列が千鳥形式である点、および、図４の例では複数の配線３６の配列が複数の端子４６の形に対応したストレート形式であるのに対し、図５の例では複数の配線３６’の配列が複数の端子４６’の形に対応した千鳥形式である点である。そのほかの部分の構造は同じであるため、その説明を省略する。
【００４３】
図４〜図７に示した構造は、図３中のＯＤＤ１２２やＨＤＤ１２１の内部（例えば、繰り返し高速に動作するヘッド部分など）に設けられる図示しないＦＰＣに対しても適用できる。
【００４４】
また、図４〜図７に示した構造は、図３中のリジッドプリント配線板および対応するコネクタにも適用できる。即ち、図３中に示されるメモリモジュール１１３とコネクタ４１Ａとの接続部分、デジタルＴＶ放送チューナモジュール１２３とコネクタ４１Ｂとの接続部分、および、小基板モジュール２３とコネクタ４１Ｃとの接続部分には、図４もしくは図５に示される構造を適用できる。
【００４５】
次に、図８を参照して、ＦＰＣの製作手順の概要を説明する。  
まず、ＦＰＣ製作用の銅張り板又は銅張り積層板を用意する（ステップＡ１）。そして、この銅張り板又は銅張り積層板に対して表裏又は表裏及び内層を接続させる為のドリル加工と同時に今回提案する複数の半円状の凹部を形成する為の複数のドリル加工を施す（ステップＡ２）。これにより、複数の円状の開口部が形成される。この後、既に形成された複数の円状の開口部の配置位置を基準にして、銅張り板又は銅張り積層板表面上に複数の配線を形成し（ステップＡ３）、最後に、外形加工を施し製品としてのＦＰＣを仕上げる。この時、今回提案する複数の半円状の凹部を形成する為にドリル加工して円状にした部分を、この外形加工にて円状の中央を加工することにより半円状にする（ステップＡ４）。
【００４６】
次に、図９を参照して、ＦＰＣコネクタの製作手順の概要を説明する。  
まず、ＦＰＣコネクタ用の部品や材料を用意する（ステップＢ１）。そして、樹脂等を用いてモールド形成を行い、複数の半円状の凸部を形成する（ステップＢ２）。この後、既に形成された複数の半円状の凸部の配置位置を基準にして、複数の端子を形成し（ステップＢ３）、最後に、製品としてのＦＰＣコネクタを仕上げる（ステップＢ４）。
【００４７】
なお、図８および図９ではＦＰＣおよびＦＰＣコネクタの製作手順について説明したが、リジッドプリント配線板および対応するコネクタに関しても同様な製作手順が適用される。
【００４８】
このように本実施形態によれば、コネクタ側の部材に複数の半円形の凸部を形成すると共に、装着されるプリント配線板側の端部に複数の半円形の凹部を形成することにより、装着時における高精度な位置合わせを実現し、接触不良を防止することができる。
【００４９】
なお、上記実施形態では、各コネクタがライトアングルタイプの下接点形式である場合を例示したが、凸部などの構造は、例えば、ライトアングルタイプの上接点形式、ライトアングルタイプの上下接点形式、ストレートタイプの右接点形式、ストレートタイプの左接点形式、ストレートタイプの左右接点形式といった種々なコネクタにも適用できる。また、凹部などの構造は、そのようなコネクタに装着される配線板にも適用できる。
【００５０】
また、上記実施形態では、電子機器がパーソナルコンピュータである場合を例示したが、ユニット間を接続するコネクタおよび配線板は他の電子機器においても適用可能である。例えば、ＰＤＡや、携帯電話機、液晶テレビ、プラズマテレビ、モバイルオーディオプレーヤ、デジタルカメラ、ポータブルプレーヤなど、種々な電子機器に適用できる。
【００５１】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５２】
【図１】本発明の一実施形態に係る電子機器の概観を示す斜視図。
【図２】図１に示される電子機器のシステム構成を示すブロック図。
【図３】図１に示される電子機器の内部で使用される各種のプリント配線板に係る構成要素を説明するための展開図。
【図４】図３中に示されるＦＰＣとＦＰＣコネクタとの接続部分の構造の第１の例を示す図。
【図５】図３中に示されるＦＰＣとＦＰＣコネクタとの接続部分の構造の第２の例を示す図。
【図６】図４中に示されるＦＰＣを別の角度から見た斜視図。
【図７】図４中に示されるＦＰＣコネクタを別の角度から見た斜視図。
【図８】ＦＰＣの製作手順を説明するためのフローチャート。
【図９】ＦＰＣコネクタの製作手順を説明するためのフローチャート。
【符号の説明】
【００５３】
１０…コンピュータ、１１…コンピュータ本体、１２…ディスプレイユニット、１３…キーボード、１４…パワーボタン、１５…入力操作パネル、１６…タッチパッド、２１…主基板、２２…副基板、２３…小基板モジュール、３０，３０Ａ，３０Ｂ…フレキシブルプリント配線板（ＦＰＣ）、３５…端部、３６…配線、４０，４０Ａ〜４０Ｄ…ＦＰＣコネクタ、４１Ａ〜４１Ｃ…リジッドプリント配線板、４５…部材、４６…端子、１１１…ＣＰＵ、１１２…ノースブリッジ、１１３…メモリ（モジュール）、１１４…グラフィクスコントローラ（モジュール）、１１９…サウスブリッジ、１２０…ＢＩＯＳ−ＲＯＭ、１２１…ハードディスクドライブ（ＨＤＤ）、１２２…光ディスクドライブ（ＯＤＤ）、１２３…デジタルＴＶ放送チューナ（モジュール）、１２４…エンベデッドコントローラ／キーボードコントローラＩＣ（ＥＣ／ＫＢＣ）、１２５…ネットワークコントローラ。
【図１】
2006319050.tif 000003
【図２】
2006319050.tif 000004
【図３】
2006319050.tif 000005
【図４】
2006319050.tif 000006
【図５】
2006319050.tif 000007
【図６】
2006319050.tif 000008
【図７】
2006319050.tif 000009
【図８】
2006319050.tif 000010
【図９】
2006319050.tif 000011